(57)【要約】【課題】複数の波長の通信光が通信光伝送路内を伝播している場合であっても、この通信光伝送路内から所望の波長の通信光を取り出して、その通信光を検知することできる通信光検知器を提供する。【解決手段】通信光検知器は、波長の異なる複数の通信光が伝搬される通信光伝送路と該通信光伝送路に設けた光漏洩部から漏れる前記波長の異なる複数の通信光の漏洩光の内、所望の波長を有する通信光の漏洩光を透過し、所望外の波長を有する通信光の漏洩光を吸収または反射するフィルタ手段と、前記フィルタ手段によって透過された漏洩光から前記所望の波長を有する通信光を検知する光検知部と、を備える。【選択図】図１
2013113871.tif 000002
【特許請求の範囲】
【請求項１】
波長の異なる複数の通信光が伝搬される通信光伝送路と該通信光伝送路に形成された光漏洩部と、前記光漏洩部から漏れる前記波長の異なる複数の通信光の内、所望の波長を有する通信光を透過し、所望外の波長を有する通信光を吸収または反射するフィルタ手段と、
前記フィルタ手段によって透過された前記所望の波長を有する通信光を検知する光検知部と、
を備えてなる通信光検知器。
【請求項２】
光漏洩部は光検知接合体の通信光伝送路のコアを貫通する光検知用溝と該光検知用溝に充填される屈折率整合剤とで構成されることを特徴とする請求項１に記載の通信光検知器。
【請求項３】
光漏洩部は光検知接合体の長手方向の両端部と両端に接合される光コネクタに内蔵した光ファイバとの接合部で構成されることを特徴とする請求項１に記載の通信光検知器。
【請求項４】
光漏洩部は光検知接合体の長手方向の両端部と両端に接合される光コネクタに内蔵した光ファイバとの接合部で構成され、該光検知接合体の内部の光ファイバは通信光伝送路を形成する光ファイバの構造パラメータと異なることを特徴とする請求項１に記載の通信光検知器。
【請求項５】
前記フィルタ手段は、孔部付き平板と波長選択フィルタとからなり、
前記光漏洩部から漏れる前記波長の異なる複数の通信光は、前記孔部付き平板の孔部を通って前記波長選択フィルタに入射され、
前記孔部付き平板は、前記光漏洩部から漏れる前記波長の異なる複数の通信光の内、前記波長選択フィルタに垂直またはほぼ垂直に入射する垂直入射光を透過させ、
前記波長選択フィルタは、前記垂直入射光の内、所望の波長を有する通信光を透過させ、所望外の波長を有する通信光を反射することを特徴とする請求項４に記載の通信光検知器。
【請求項６】
前記孔部付き平板は、その底面及び内壁面に黒色塗料が塗布されているか、または、黒色樹脂によって形成されていることを特徴とする請求項５に記載の通信光検知器。
【請求項７】
前記通信光伝送路内を伝搬する通信光は、１．３μｍ波長帯と１．５μｍ波長帯からなる通信光であり、
前記波長選択フィルタは、１．３μｍ波長帯を透過し、１．５μｍ波長帯を反射する特性を有することを特徴とする請求項１〜６いずれかに記載の通信光検知器。
【発明の詳細な説明】
【技術分野】
【０００１】
本発明は、光伝送路内を伝搬する通信光を検知するための通信光検知器に関する。
【背景技術】
【０００２】
通信光検知器が用いられる光通信システム１００を図５に示す。
【０００３】
光通信会社の設備センター１４内には、通信光発信／受信装置１１が設けられ、この通信光発信／受信装置１１は光分岐合流器１５が接続されて設けられている。この光分岐合流器１５は、通信光発信／受信装置１１から送信される通信光（光信号）を分岐して送信または複数のユーザー宅１０から送信された通信光（光信号）を合流して通信光発信／受信装置１１で受信させるためのものである。
【０００４】
各家庭や事務所などのユーザー宅１０内には、光終端装置である通信光受信／発信装置１２が設けられる。電柱１８の付近には、クロージャー１６が取り付けられ、このクロージャー１６内には、設備センター１４からの通信光を分岐し、各ユーザー宅１０からの通信光を合流するための光分岐合流器１７が設けられている。また、通信光発信／受信装置１１と光分岐合流器１７の間、及び、光分岐合流器１７と通信光受信／発信装置１２の間は、光ファイバ１３Ａ、１３Ｂによって接続され、通信光発信／受信装置１１と通信光受信／発信装置１２とを結ぶ通信光伝送路（光ファイバ１３）が形成される。これによって、通信光発信／受信装置１１と通信光受信／発信装置１２との間で光通信がなされる。そして、この通信光伝送路内を伝搬する光信号を漏洩させるための光漏洩部を光ファイバ１３Ｂ内に形成し、この光漏洩部からの漏洩光を検知し、通信光伝送路の通信光伝送状態を監視するための光検知部を備えた通信光検知器（図示しない）が設けられている。
【０００５】
この通信光検知器として特許文献１には、スリーブ内の接続部に設けられ、光伝送路の端部同士と接合すると共に、光伝送路のコアを貫通する光検知用溝及びその光検知用溝に充填される屈折率整合剤を有する光検知接合体と、光検知接合体の上方に設けられ、光検知用溝を介して漏れる通信光の漏れ光を検知する光検知部とを備え、光検知用溝は、光検知接合体の長手方向に沿った溝幅が５０〜１５０μｍであることを特徴とする通信光検知器が記載されている。
【０００６】
特許文献２には、心線対照すべき光ファイバに現用光よりも長波長の試験光を入射して現用光と試験光との波長を相互に異ならせるとともに当該試験光の伝送状態にて光線路を曲げ、その曲げ箇所からの漏洩試験光を検知して光ファイバの対照を行なうことを特徴とする光線路の心線対照方法が記載されている。
【先行技術文献】
【特許文献】
【０００７】
【特許文献１】特開２００９−２７６６２７号公報
【特許文献２】特許第２８０３７２６号公報
【発明の概要】
【発明が解決しようとする課題】
【０００８】
しかしながら、特許文献１に記載の通信光検知器では、設備センター１４からユーザー宅１０へ送信される通信光（通常、１．５μｍ波長帯が用いられる）と、ユーザー宅１０から設備センター１４へ送信される通信光（通常、１．３μｍ波長帯が用いられる）の両通信光を検知してしまい、どちらか一方の波長を有する通信光のみを検知することはできない。そのため、光ファイバ１３の一端がユーザー宅１０に接続されていなくても（光ファイバ１３Ｃのように未使用回線であっても）、設備センター１４からは通信光が常に送信され続けているため、特許文献１に記載の通信光検知器では常に漏れ光を検知し続けてしまう。よって、特許文献１に記載の通信光検知器では、光ファイバ１３の一端がユーザー宅１０に接続されていることを示す、ユーザー宅１０からの通信光のみを検知することができず、多数本の光ファイバ１３の中から未使用回線（光ファイバ１３Ｃ）を見つけ出すことは困難である。
【０００９】
また、特許文献２に記載のような光ファイバを曲げて漏洩光を発生させる方法では、１．５μｍ波長帯の通信光の場合は比較的簡単に漏洩させることができるが、１．３μｍ波長帯の通信光の場合は光ファイバ内への光閉じ込め効果が強く働くため、１．３μｍ波長帯の通信光を漏洩させることが困難である。従って、特許文献２に記載の心線対照方法であっても、漏洩させたい通信光の波長によっては特許文献１と同様に、多数本の光ファイバ１３の中から未使用回線（光ファイバ１３Ｃ）を見つけ出すことは困難である。
そこで本発明は、上記の課題を解決し、複数の波長の通信光が通信光伝送路内を伝搬している場合であっても、この通信光伝送路内から所望の波長の通信光の漏洩光を取り出して、その通信光の漏洩光を検知することができる通信光検知器を提供することを目的とする。
【課題を解決するための手段】
【００１０】
上記目的を達成するために創案された本発明は、波長の異なる複数の通信光が伝搬される通信光伝送路と該通信光伝送路に設けられた光漏洩部と、前記光漏洩部から漏れる前記波長の異なる複数の通信光の内、所望の波長を有する通信光を透過し、所望外の波長を有する通信光を吸収または反射するフィルタ手段と、前記フィルタ手段によって透過された前記所望の波長を有する通信光を検知する光検知部と、を備えてなる通信光検知器である。
【００１１】
前記光漏洩部は通信用光ファイバのコアを貫通する光検知用溝と該光検知用溝に充填される屈折率整合剤とを有する光検知接合体か、通信用光ファイバの途中に設けられた光コネクタ同士の接合箇所か、通信用光ファイバの途中に設けられた光コネクタ同士の軸を微小ずらして接合した接合箇所か、または、通信用光ファイバの途中に設けられた光コネクタ同士の接合箇所の間に通信用光ファイバとコアの構造・成分が異なった光ファイバを挿入することで形成する接合箇所であっても良い。
【００１２】
前記フィルタ手段は、孔部付き平板と波長選択フィルタとからなり、前記光漏洩光部から漏れる前記波長の異なる複数の通信光は、前記孔部付き平板の孔部を通って前記波長選択フィルタに入射され、前記孔部付き平板は、前記光漏洩部から漏れる前記波長の異なる複数の通信光の内、前記波長選択フィルタに垂直またはほぼ垂直に入射する垂直入射光を透過させ、前記波長選択フィルタは、前記垂直入射光の内、所望の波長を有する通信光を透過させ、所望外の波長を有する通信光を反射するようにされていても良い。
【００１３】
前記孔部付き平板は、その底面及び内壁面に黒色塗料が塗布されているか、または、黒色樹脂によって形成されていても良い。
【００１４】
前記通信光伝送路内を伝搬する通信光は、１．３μｍ波長帯と１．５μｍ波長帯からなる通信光であり、前記波長フィルタは、１．３μｍ波長帯を透過し、１．５μｍ波長帯を反射する特性を有するようにしても良い。
【発明の効果】
【００１５】
本発明によれば、複数の波長の通信光が通信光伝送路内を伝搬している場合であっても、この通信光伝送路内から所望の波長の通信光を取り出して、その通信光を検知することできる。
【図面の簡単な説明】
【００１６】
【図１】本発明の好適な第１の実施例に係る通信光検知器の使用状態を示す縦断面図である。
【図２】孔部付き平板の孔部の断面形状と漏れ光との関係を示す図である。
【図３】１．３μｍ波長帯透過／１．５μｍ波長帯遮断フィルタの波長特性図である。
【図４】本発明の第２の実施例に係る通信光検知器の使用状態を示す縦断面図である。
【図５】通信光検知器が用いられる光通信システムについての説明図である。
【発明を実施するための形態】
【００１７】
以下、本発明の実施例を図面に基づいて説明する。
【実施例】
【００１８】
図１は、本発明の好適な第１の実施例を示す通信光検知器の主要部の縦断面図である。
【００１９】
図１に示すように、第１の実施例に係る通信光検知器１は、例えば、光伝送路としての光ファイバの端部同士を突き合わせ接続した光ファイバの接続部において、光伝送路の使用状態を監視して通信光の有無（光通信しているか否か）を検知するものである。
【００２０】
この通信光検知器１は、光検知接合体２と、その光検知接合体２の両端部がそれぞれ挿入されるスリーブ３ａ，３ｂとを備える。光検知接合体２の両端面には、通信光検知器１の使用時に、設備センター１４側の光コネクタが備えるフェルール１０４ｃとユーザー宅１０側の光コネクタが備えるフェルール１０４ｙがそれぞれ挿入されて突き合わせ接続される。フェルール１０４ｃには設備センター１４側の光ファイバ１０６ｃが内蔵され、フェルール１０４ｙにはユーザー宅１０側の光ファイバ１０６ｙが内蔵される。
【００２１】
光検知接合体２は、光ファイバ１０６ｃ，１０６ｙのコアの端部（光ファイバの接続部側の端部）同士と突き合わせ接続されるコア部とこのコア部を包囲するクラッド部とからなる光ファイバ４と、この光ファイバ４の周囲に設けられるフェルール部５と、このフェルール部５の一部を除去して断面矩形状に形成され、後述の光検知部９が収納される収納溝６と、この収納溝６の底面の位置に光ファイバ４を切断するように形成される、断面矩形状の光検知用溝７と、この光検知用溝７に充填される屈折率整合剤ｒとからなり、光検知用溝７の上側に光漏洩部１６が形成され、その開口部に光検知部９が位置するように形成されている。なお、この光検知用溝７は、少なくとも光ファイバ４のコア部を貫通するように形成されていれば良い。
【００２２】
光検知接合体２は、その長手方向の両端面がそれぞれフェルール１０４ｃ，１０４ｙの端面同士と接合される。この光検知接合体２では、光ファイバ４と、この光ファイバ４に臨む屈折率整合剤ｒが充填された光検知用溝７とからなる部分が検知側の光伝送路８となる。
【００２３】
光検知接合体２は、光ファイバ４のコア部が各光ファイバ１０６ｃ，１０６ｙのコアと同じ材料で作製され、クラッド部が各光ファイバ１０６ｃ，１０６ｙのクラッドと同じ材料で作製される。光検知接合体２のフェルール部５は、各フェルール１０４ｃ，１０４ｙやスリーブ３ａ，３ｂと同じ材料で作製される。なお、光ファイバ４には、各光ファイバ１０６ｃ，１０６ｙと同様の光ファイバを用いてもよいし、光導波路を用いても良い。
【００２４】
光検知接合体２の長手方向の両端面は、通信光検知器１に挿入される各フェルール１０４ｃ，１０４ｙの端面（光ファイバの接続部側の端面）とＰＣ（物理的接触）接続されるため、ＰＣ端面となるように研磨される。光検知接合体２の外径は、各フェルール１０４ｃ，１０４ｙの外径と同じである。
【００２５】
光検知用溝７は、光検知接合体２の長手方向に沿った溝幅が５０〜１５０μｍである。溝幅が５０μｍ未満では、漏れ光発生率が小さすぎて漏れ光の検知が難しくなったり、受光した漏れ光を電気信号に変換した後に、別に増幅器が必要になって部品点数が増えたりする。また、溝幅が１５０μｍを超えると、漏れ光発生率が大きすぎて通信に支障が生じる。
【００２６】
通信光検知器１に挿入される光伝送路としての各光ファイバ１０６ｃ，１０６ｙには、石英ガラス製のシングルモード光ファイバや、ＧＩ（グレーデッドインデックス）型のマルチモード光ファイバが用いられる。各光ファイバ１０６ｃ，１０６ｙとしてシングルモード光ファイバを用いる場合は、１．３μｍ波長帯あるいは１．５μｍ波長帯の通信光が使用される。各光ファイバとしてマルチモード光ファイバを用いる場合には、波長が８５０ｎｍ帯、あるいは１３１０ｎｍ帯の通信光が使用される。
【００２７】
図１に戻り、光検知用溝７に充填される屈折率整合剤ｒには、各光ファイバ１０６ｃ，１０６ｙのコアとほぼ同じ屈折率のものを用いる。屈折率整合剤ｒとしては、液状のものを使用してもよいし、熱硬化性や紫外線（ＵＶ）硬化性の樹脂、あるいは接着剤で、硬化後の屈折率が各光ファイバ１０６ｃ，１０６ｙのコアとほぼ同じものを使用してもよい。
【００２８】
スリーブ３ａは、フェルール１０４ｃと光検知接合体２の光軸位置合わせをするためのものであり、スリーブ３ｂは、フェルール１０４ｙと光検知接合体２の光軸位置合わせをするためのものである。
【００２９】
なお、フェルール１０４ｃは、設備センター１４側の光コネクタプラグ（図示しない）に内蔵され、フェルール１０４ｙは、ユーザー宅１０側の光コネクタプラグ（図示しない）に内蔵される。これらフェルール１０４ｃ，１０４ｙは、セラミックスあるいは金属で作製され、その端面（光ファイバの接続部側の端面）がＰＣ（物理的接触）端面となるように研磨される。
【００３０】
スリーブ３ａ，３ｂは、通信光の少なくとも一部を透過する（あるいは通信光を受光するとこれを散乱する）セラミックス製やガラス製のもの、あるいはスリーブ長手方向（軸方向）に延びるスリットを有するセラミックス製、ガラス製、金属製の割スリーブを用いる。通信光の少なくとも一部を透過するセラミックスとしては、例えば、ジルコニアセラミックスがある。
【００３１】
通信光検知器１は、光検知接合体２の上方に設けられて光検知用溝７を介して漏れる漏れ光を検知する光検知部９をさらに備える。光検知部９は、漏れ光を受光するためのＰＤ素子９１を備えたＰＤ９０が、フィルタ手段３００（後述の孔部付き平板９２と波長選択フィルタ９３）と共に、光検知用溝７の上方に対向し、かつスリーブ３ａ，３ｂの間に配置されるように、収納溝６に収納されて取り付けられる。そして、ＰＤ素子９１と光検知用溝７との間に、ドーナツ板形状の孔部付き平板９２と、誘電体多層膜からなり、所望の波長を透過させ、それ以外の波長を反射（遮断）する波長選択フィルタ９３との順番で、これらが光検知用溝７側から位置するように、ＰＤ９０の先端部分に取り付けられている。なお、孔付き平板９２は光検知器の収納溝６に組み込んでも良い、また、光検知部４は、ＰＤ素子９１で受光した漏れ光を可視光によって出力する光出力部材（図示しない）と、ＰＤ９０とが搭載されて光検知回路を構成する回路基板９４とを備える。つまり、光検知部９は、ＰＤ素子９１を備えたＰＤ９０と、フィルタ手段３００（孔部付き平板９２と、波長選択フィルタ９３）と、回路基板９４とからなる。本実施形態では、ＰＤ９０として安価なＣａｎパッケージタイプのものを用いた。
【００３２】
ここで、フィルタ手段３００の役割について説明する。
【００３３】
光検知接合体２の光検知用溝７内に入射された通信光は、一部が漏れ光として漏れ、その漏れ光が光ファイバ４のコア部の端面から広がる（散乱する）。孔部付き平板９２は、この色々な方向に広がった漏れ光の内、波長選択フィルタ９３に垂直に入射しない漏れ光を遮断して、波長選択フィルタ９３に垂直に入射する漏れ光を波長選択フィルタ９３側に絞って透過させるためのものである。そして、波長選択フィルタ９３は、この垂直に入射された漏れ光の内、所望の波長を有する光信号をＰＤ素子９１側に透過させ、ＰＤ素子９１は、この光信号を検知することになる。
【００３４】
上記したように、孔部付き平板９２を介して波長選択フィルタ９３に漏れ光を入射させる理由は、波長選択フィルタ９３は誘電体多層膜によって構成されるが、誘電体多層膜は自身に対して光が垂直に入射したときにその波長選択性能が最大限に発揮され、斜めに入射した光に対しては十分な波長選択性能を発揮することができないからで、そのため通信光検知器１が所望の波長を有する光信号を効率良く検知することができなくなる（所望外の波長を有する光信号も検知して信号対雑音比（Ｓ/Ｎ）が悪くなる）からである。
【００３５】
これにより、光検知用溝７で発生した漏れ光のうち、ＰＤ素子９１に垂直方向の成分を有する漏れ光を波長選択フィルタ９３に入射させ、この波長選択フィルタ９３によって所望の波長を有する光信号をＰＤ素子９１側に効率的に透過させることができる（所望外の波長を有する光信号が、ＰＤ素子９１に到達することを大幅に減らすことができる）ので、信号対雑音比（Ｓ/Ｎ）を大幅に改善でき、検知性能を向上させることができる。
【００３６】
また上記した効果を得るために、孔部付き平板９２は、例えば、その厚さは１〜３ｍｍとし、その外径は５ｍｍとし、貫通孔である孔部の内径（孔径）は０．５〜２ｍｍとすることが好ましい。また、孔部付き平板９２の底面及び孔部の壁面に黒色塗料を塗布したり孔部付き平板９２そのものを黒色樹脂で製作することによって、漏れ光の絞り効果を高めることができる。
【００３７】
さらに孔部付き平板９２の断面形状は図２に示すように種々の形状を採用することができる。孔部付き平板９２は、矢印のように入射されてきた漏れ光の内、点線で示す入射角度の大きい漏れ光を遮光（吸収または反射）する。図２（ａ）のものは、その内面壁９２ａが始端から終端まで全域に亘って断面垂直状をした孔部付き平板９２であり、図２（ｂ）のものは、図２（ａ）の構造に類似し、内面壁９２ａの形状は始端及び終端形状が切欠状にして（孔部に面取り加工を施して）製造を容易にした形状の孔部付き平板９２であり、図２（ｃ）のものは、内面壁９２ａの形状は終端側狭小型である孔部付き平板９２であり、図２（ｄ）のものは内面壁９２ａの形状は終端末広がり型である孔部付き平板９２である。いずれの孔部付き平板９２であっても孔径及び傾斜角度を適宜選択し、斜めに入射される漏れ光を遮光し、垂直方向の遮漏光を通過させるように設定することができる。検出を容易にすることからは、図２（ａ）あるいは図２（ｂ）に示すものが望ましい。
【００３８】
また、通信光伝送路中を１．３μｍ波長帯と１．５μｍ波長帯の通信光が伝搬しており、この１．３μｍ波長帯のみを取り出して検知したい場合には、波長選択フィルタ９３は、図３に示すような１．３μｍ波長帯透過／１．５μｍ波長帯遮断の特性を有することが望ましい。なお、この特性は、自身（フィルタ面）に直角に光を入射した場合に得られるものである。
【００３９】
図３に示すように、波長選択フィルタ９３は１．３μｍ波長帯の漏れ光をほぼ１００％通過させ、１．５μｍ波長帯の漏れ光をほぼ０％まで遮断できること示している。
【００４０】
第１の実施形態の作用を説明する。
【００４１】
使用したい通信光伝送路（光ファイバ１３）に光検知器１を取り付ける。具体的には、光検知器１の一端側の光コネクタアダプタに、ユーザー宅１０側の光コネクタプラグを挿入して固定し、他端側の光コネクタアダプタに、設備センター１４側の光コネクタプラグを挿入して固定し、設備センター１４側からユーザー宅１０側に向かって１．５μｍ波長帯で通信すると共に、ユーザー宅１０側から設備センター１４側に向かって１．３μｍ波長帯で通信し、双方向通信をしているものとする。
【００４２】
この場合、図１に示すように、設備センター１４側からの通信光は、設備センター１４側の光コネクタプラグに内蔵されたフェルール１０４ｃ内の光ファイバ１０６ｃを通り、ユーザー宅１０側からの通信光は、ユーザー宅１０側の光コネクタプラグに内蔵されたフェルール１０４ｙ内の光ファイバ１０６ｙを通り、両通信光は光検知接合体２の光検知用溝７に達する。両通信光が光検知用溝７内の屈折率整合剤ｒに入射すると、両通信光の一部が漏れ光として漏れ、その漏れ光が光ファイバ４のコア部の端面から広がる。なお、設備センター１４側からの通信光とユーザー宅１０側からの通信光の波長は異なっており、本実施例においては、設備センター１４側からの通信光は１．５μｍ波長帯であり、ユーザー宅１０側からの通信光は１．３μｍ波長帯であるので、漏れ光には、１．５μｍ波長帯と１．３μｍ波長帯の両通信光が含まれる。
【００４３】
この広がった漏れ光は、孔部付き平板９２に達する。そして、この漏れ光は、孔部付き平板９２の光検知用溝７側の底面及び孔部の壁面によって吸収または反射されることによって絞られるので、漏れ光の一部は、波長選択フィルタ９３に達しない。その他の漏れ光（波長選択フィルタ９３に垂直またはほぼ垂直に入射する漏れ光）は、孔部付き平板９２の孔部を通って波長選択フィルタ９３に達する。
【００４４】
本実施形態においては、孔部付き平板９２の底面及び孔部の壁面に黒色塗料を塗布した。
【００４５】
波長選択フィルタ９３は、誘電体多層膜からなり、１．５μｍ波長帯の光信号を遮断し、１．３μｍ波長帯の光信号を透過するように設計されている。
【００４６】
波長選択フィルタ９３に達した漏れ光（垂直入射光）は、この波長選択フィルタ９３に垂直またはほぼ垂直に入射することになるので、波長選択フィルタ９３の波長選択機能が有効に作用する。よって、波長選択フィルタ９３に達した漏れ光は、１．５μｍ波長帯の光信号は反射（遮断）され、１．３μｍ波長帯の光信号は透過され、この透過した１．３μｍ波長帯の光信号は、ＰＤ素子９１によって検知される。そして、ＰＤ素子９１は、検知（受光）した光信号を電気信号に変換し、この電気信号が回路基板９４を伝送されて光検知部９の光出力部材（例えば、発光ダイオードを用いる）で可視光に変換されて出力される。
【００４７】
すなわち、伝送路中を伝搬する通信光（光信号）の波長が複数であっても、所望の波長を有する光信号のみを取り出すことが可能であり、この光信号が変換されて出力される可視光の有無を作業者が目視することで、この通信光伝送路が使用されているか否かを簡単に確認できる。
【００４８】
したがって、通信光検知器１によれば、フィルタ手段３００を用いることで、複数の波長の通信光が通信光伝送路内を伝搬している場合であっても、この通信光伝送路内から所望の波長の通信光を取り出して、その通信光を検知することできる。よって、通信光検知器１が取り付けられた通信光伝送路が使用中の回線（通信光を検知）か未使用の回線（通信光を検知せず）であるか容易に判別することができる。
【００４９】
図４に示す第２の実施形態に係る通信光検知器１は、ＰＤ素子９１が光検知用溝７の真上部分からフェルール１０４ｃ側（１．３μｍ波長帯通信光の下流側）に位置するように場所をずらしたものである。
【００５０】
一般に漏れ光の強度が最高値となる位置は通信光発信側から見て、光検知用溝７からわずかに通信光受信側にシフトすることが知られている。従って、通信光発信／受信装置１１から発信される１．５μｍ波長帯の通信光に対して、通信光受信／発信装置１２から発信される１．３μｍ波長帯の通信光が混在するときは、１．５μｍ波長帯の通信光の漏れ光は光検知用溝からわずかに通信光受信／発信装置１２側にシフトした位置に最大強度の出力が得られ、逆に、通信光受信／発信装置１２からの１．３μｍ波長帯の通信光の漏れ光は光検知用溝７からわずかに通信光発信／受信装置１１側にシフトした位置で最大強度の出力が得られる。
【００５１】
このため、ユーザー宅１０から発信された１．３μｍ波長帯の通信光を検出するためには、その漏れ光強度が最大となる位置すなわち光検知用溝７からわずかに設備センター１４側にシフトした位置にＰＤ素子９１を取り付けることで感度よく検出することが可能となる。この際、１．５μｍ波長帯の通信光の漏れ光の出力は、１．３μｍ波長帯の通信光の漏れ光が最大出力となる位置では、光検知用溝７の真上にある場合よりも小さくなる。したがって、ＰＤ素子９１の取付け位置とフィルタ手段３００とを併用することにより、所望の１．３μｍ波長帯の通信光の漏れ光を感度良く受光して（波長選択フィルタ９３に入射する１．５μｍ波長帯の通信光を減らして）Ｓ／Ｎの向上を図ることが出来る。
【００５２】
なお、この通信光検知器によってもユーザー宅からの１．３μｍ波長帯の通信光が検知できないときは、その回線は使用されていないと判別できる。
【００５３】
なお、本発明は、上記各実施の形態に限定されず、その要旨を変更しない範囲内で種々な変形が可能である。
【００５４】
光漏洩部の構成例は特開２００９−２７６６２７号に記載されているが、例えば、光検知接合体２の長手方向の両端部がそれぞれ光ファイバ１０６C,１０６ｙを内蔵した光コネクタのフェルール１０４ｃ、１０４ｙの端面と接合されるが、この接合部でも通信光が漏洩し、光漏洩部１６が形成される。特に光検知接合体２の光ファイバ４の構造パラメータが光ファイバ１０６ｃ，１０６ｙの構造パラメータと異なるときや光検知接合体２の光ファイバ４と光ファイバ１０６ｃ、１０６ｙの光軸が微小ずれていると前記接合部での漏洩光の強度が強くなるので、この光漏洩部からの漏洩光を光検知部９で検知することが出来、光検知用溝７や屈折率整合剤ｒなどを使用することなく通信光が検知できる。
【００５５】
また、波長選択フィルタ９３として１．３μｍ波長帯透過／１．５μｍ波長帯遮断の特性を有する１種類の波長選択フィルタを用いたが、更に斜め入射光を反射するように１．３μｍ波長帯透過／１．６μｍ波長帯遮断の特性を有する波長選択フィルタも組合せて多数の波長透過・遮断特性を備えさせることもできる。すなわちフィルタ手段は、孔部付き平板と複数種類の波長選択フィルタとを併用したものから構成されても、複数種類の波長フィルタの組み合わせのみから構成されても良い。
【００５６】
さらに、フィルタ手段３００をＰＤ９０に脱着可能に形成しておき、フィルタ手段３００を取り付けた状態で通信光伝送路に取り付けて１．３μｍ波長帯の通信光が無いことを検知した後に、フィルタ手段３００を取り外した状態で通信光伝送路に取り付けて１．５μｍ波長帯の通信光の有無を検知することで、設備センター１４側から通信光検知器までの回線の正常または異常（断線）かを確認することができるようになる。
【００５７】
また、本発明は、通信光検知器の両端から異なった通信光を伝搬させる場合だけでなく、通信光検知器の片端から異なる波長を有する通信光を同時に伝搬させる場合であっても適用可能である。
【符号の説明】
【００５８】
１…通信光検知器、２…光検知接合体、７…光検知用溝、９…光検知部、１３…通信光伝送路、９２…孔部付き平板、９３…波長選択フィルタ、３００…フィルタ手段、ｒ…屈折率整合剤。
【図１】
2013113871.tif 000003
【図２】
2013113871.tif 000004
【図３】
2013113871.tif 000005
【図４】
2013113871.tif 000006
【図５】
2013113871.tif 000007